(57)【要約】【課題】  Ｌ−Ｈ型のディスクに対してＢＣＡパターンが反転された情報記憶媒体を提供する。また、Ｌ−Ｈ型のディスクに対してＢＣＡを記録する際、ＢＣＡパターンを反転させて記録し、ＢＣＡ再生信号の極性を正しくする光ディスク装置を提供する。【解決手段】  レーザ光の照射によって記録マークが形成されるもので、レーザ光の照射前の光反射率よりもレーザ光の照射により形成される記録マーク部分の光反射率の方が高くなる情報記憶媒体であって、情報記憶媒体の内周に放射状の管理情報を格納するＢＣＡ２１を備え、ＢＣＡ２１は、円周方向に放射状のＢＣＡパターン２２が複数形成され、放射状のＢＣＡパターン２２は未記録状態とし、放射状のＢＣＡパターン２２以外のＢＣＡ２１は記録状態とすることを特徴とする。【選択図】  図４
2007035177.tif 000002
【特許請求の範囲】
【請求項１】
レーザ光の照射によって記録マークが形成されるもので、前記レーザ光の照射前の光反射率よりも前記レーザ光の照射により形成される前記記録マーク部分の光反射率の方が高くなる情報記憶媒体であって、
前記情報記憶媒体の内周に放射状の管理情報を格納する管理情報エリアを備え、
前記放射状のパターンは未記録状態とし、前記放射状のパターン以外の前記管理情報エリアは記録状態とすることを特徴とする情報記憶媒体。
【請求項２】
前記未記録部分と前記記録部分を再生した際、前記未記録部分の再生信号の極性はＬレベル、前記記録部分の再生信号の極性はＨレベルとなることを特徴とする請求項１記載の情報記憶媒体。
【請求項３】
前記放射状のパターン以外の前記管理情報エリアは一周に渡って全て記録されていることを特徴とする請求項１記載の情報記憶媒体。
【請求項４】
請求項１記載の情報記憶媒体に記録された情報を再生する再生方法であって、
前記情報記憶媒体にレーザ光を照射し、このレーザ光の反射光に基いて前記情報を再生することを特徴とする再生方法。
【請求項５】
請求項１記載の情報記憶媒体に情報を記録する記録方法であって、
前記情報記憶媒体にレーザ光を照射し、前記情報を記録することを特徴とする記録方法。
【請求項６】
放射状の管理情報を格納する管理情報エリアを備え、前記放射状のパターンは未記録状態とし、前記放射状のパターン以外の前記管理情報エリアは記録状態とする情報記憶媒体に前記管理情報を記録する記録装置において、
レーザ光を照射する照射手段と、
前記照射手段をレーザ光出力のオンオフを制御する制御手段とを備え、
前記制御手段は、前記放射状のパターンには前記レーザ光をオフさせ、前記放射状のパターン以外の前記管理情報エリアには前記レーザ光をオンさせることを特徴とする記録装置。
【発明の詳細な説明】
【技術分野】
【０００１】
本発明は、例えばＣＤ、ＤＶＤ、ＢＤ（Blu-Ray DISC）、ＨＤ  ＤＶＤなどのディスク状の情報記憶媒体に関する。また、本発明は、同心円状の管理情報エリアに形成された複数の溝又は同心円状の管理情報エリアに記録された複数のマークから管理情報を再生したり通常の情報を再生する光ディスク装置に関する。
【背景技術】
【０００２】
ＤＶＤ等の光ディスクには、バーコード状のパターンが記録されるＢＣＡ（Burst Cutting Area）と呼ばれる領域が設けられている。例えば、バーコード状のパターンに対応した変調信号とディスク回転モーターからの信号とを同期させて、ディスク上にバーコード状のパターンを記録する技術が提案されている（特許文献１参照）。
【特許文献１】特開２００４−１５２４２９号公報
【発明の開示】
【発明が解決しようとする課題】
【０００３】
上記特許文献１に記載の技術によると、専用のＢＣＡ記録装置を用いて再生専用型のディスクの反射膜をレーザーで焼き切る、または相変化記録型のディスクをレーザーで相変化させる、更には色素記録型のディスクをレーザで色素変化させることで、バーコード状のＢＣＡパターンを記録している。
【０００４】
しかし、記録型や追記型のＨＤ  ＤＶＤにおいて、記録マークの反射率が未記録部に比べて高くなるＬｏｗ  ｔｏ  Ｈｉｇｈ（Ｌ−Ｈ）型ディスクの場合、同じようにＢＣＡパターンを記録すると、ＢＣＡ再生信号の極性が今までのＣＤやＤＶＤと逆になってしまう。
【０００５】
そこで、本発明の目的は、上記の問題を解決するために成されたものであり、Ｌ−Ｈ型のディスクに対してＢＣＡパターンが反転された情報記憶媒体を提供することにある。また、本発明の目的は、Ｌ−Ｈ型のディスクに対してＢＣＡを記録する際、ＢＣＡパターンを反転させて記録し、ＢＣＡ再生信号の極性を正しくする光ディスク装置を提供することにある。
【課題を解決するための手段】
【０００６】
上記した課題を解決するために、この発明は、レーザ光の照射によって記録マークが形成されるもので、前記レーザ光の照射前の光反射率よりも前記レーザ光の照射により形成される前記記録マーク部分の光反射率の方が高くなる情報記憶媒体であって、前記情報記憶媒体の内周に放射状の管理情報を格納する管理情報エリアを備え、前記放射状のパターンは未記録状態とし、前記放射状のパターン以外の前記管理情報エリアは記録状態とすることを特徴とする。
【発明の効果】
【０００７】
この発明によれば、Ｌ−Ｈ型のディスクに対してＢＣＡを記録する際、ＢＣＡパターンを反転させて記録し、ＢＣＡ再生信号の極性を正しくさせる。またその際、ＢＣＡ内のＢＣＡパターンの無い部分については全域に渡って記録して、反射率をＨ（Ｈｉｇｈ）レベルにしておくことで、ＢＣＡパターンの誤読や他者によるＢＣＡの違法な追記による不正コピー・メディア種別の詐称などを防止することができる。
【発明を実施するための最良の形態】
【０００８】
以下、この発明の実施例について、図面を参照しながら詳細に説明する。
【０００９】
図１はバーストカッティング領域ＢＣＡに記録されたＢＣＡ情報内容の例を示す図である。
【００１０】
図１に示すようなＢＣＡの情報は光ディスクの内周部にバーコード状のパターンとしてあらかじめ刻まれ、以下のようなデータ構造をとっている。図１（ａ）（ｂ）に示すように、ＢＣＡデータ領域ＢＣＡＡは、７６バイトの情報が記録可能となっており、データはＢＣＡレコードユニットＢＣＡＵ単位で記録される。このＢＣＡレコードユニット内ＢＣＡＵ内に記録される情報をＢＣＡレコードと呼ぶ。各ＢＣＡレコードのサイズは、４バイトの整数倍になっている。各ＢＣＡレコード内は図１（ｃ）に示すように２バイトで構成されるＢＣＡレコードＩＤ  ６１と、１バイトで構成されるバージョン番号情報６２と、１バイトで構成される記録データのデータ長情報６３、４ｍバイトのデータレコード（記録データ６４）が順次記録される。ＢＣＡレコードＩＤ  ６１に設定されるＩＤは、図１（ｄ）に示すように、0000h〜7FFFFhまでが公式利用方法に割り当てられ、8000hからFFFFhまでが個別な利用方法に割り当てられる。１バイトで構成されるバージョン番号情報６２は、上位４ビットのメジャー数字７１と、下位４ビットのマイナー数字７２に分けられる。メジャー数字７１はバージョン番号の整数一桁目が記録され、マイナー数字７２にはバージョン番号の小数点以下一桁目の値が記録される。例えばバージョン“２．４”の場合にはメジャー数字７１の欄に、“２”が記録されマイナー数字７２の欄には“４”の数字が記録される。
【００１１】
また前記ＢＣＡレコード内に図１（ｅ）に示すように、ＨＤ  ＤＶＤ規格書タイプの識別情報８０が記録される。具体的にこの情報の内容は、図１（ｆ）に示すようにＢＣＡレコードＩＤ  ８１とバージョン番号情報８２と記録データのデータ長情報８３が記録されるとともに、４ビットで構成される規格書タイプ情報８４と、４ビットで構成されるディスクタイプ情報８５と拡張パートバージョン情報８６（１バイト）とリザーブ領域８７（２バイト）が記録される。前記ディスクタイプ情報８５内の上位１ビットには、記録マークの極性（Ｈ−Ｌか、Ｌ−Ｈかの識別）情報８８が配置されている。
【００１２】
ＣＤ、ＤＶＤ、ＢＤ、ＨＤ ＤＶＤなどの光ディスクにおいて、図１のようなディスク固有の情報はバーコード状（放射状）のパターン（ＢＣＡパターン）として、あらかじめディスク内周部に刻まれる。このようなバーコード状のパターンが刻まれたＢＣＡをディスク上に設けるには、光ディスク成形時の型となるスタンパーにＢＣＡ内のバーコード状のパターンを刻んでおくという方法がある。しかし、ディスク一枚一枚に別個の固有の情報を記録するためには、製盤後のディスクに対して例えばレーザーなどによりＢＣＡパターンを刻む必要がある。通常再生専用ディスクに対してＢＣＡを記録する場合は、レーザー光で金属反射膜を焼き切ることでパターンを作製する。また相変化記録型ディスクや有機色素追記型ディスクに対してＢＣＡを記録する場合は、レーザー光で記録層を変化させて反射率を変えることでパターンを作製する。
【００１３】
図２は従来の一般的なＢＣＡとＢＣＡパターンを示した図である。
【００１４】
従来のＨ−Ｌ型のＤＶＤ等のディスクでも内周部分にＢＣＡ１１（Burst Cutting Area）が設けられているものがある。このＢＣＡ１１の拡大図にバーコード状のＢＣＡパターン１２が示されている。このＢＣＡパターン１２は記録された記録部であって、ＢＣＡを再生するとこの記録部での再生信号の極性はＬ（Ｌｏｗ）レベルである。またこの記録部以外の部分は記録されない未記録部であってＢＣＡを再生するとこの未記録部での再生信号の極性はＨ（Ｈｉｇｈ）レベルである。ＢＣＡ１１はＢＣＡパターンからなる記録部（Ｌレベル）と、ＢＣＡパターン以外からなる未記録部（Ｈレベル）とから形成されている。
【００１５】
このように記録型のディスクにＢＣＡ信号を書き込む際、同じようにパターンを書き込んだとしてもその記録媒体がＬｏｗ  ｔｏ  ＨｉｇｈかＨｉｇｈ  ｔｏ  Ｌｏｗかで再生される信号の極性は変わる。なお、再生されるＢＣＡ信号の極性はＨＤ  ＤＶＤではＬ−Ｈに規定されている。この規定に合致するように極性（Ｌｏｗ  ｏｒ  Ｈｉｇｈ）をあわせてＢＣＡを記録しなければならない。この場合、従来の一般的な図２のＢＣＡパターンとは逆にこのパターンを記録せずに残すように反転してＢＣＡを記録する必要がある。
【００１６】
以下に、図３を用いてＨＤ  ＤＶＤにおけるＢＣＡからの再生信号の規定について説明する。ＢＣＡ信号の測定時には、光学ヘッドから出射されるレーザー光の集光スポットが、記録層上に集光されている必要がある。下記バーストカッティング領域ＢＣＡから得られる再生信号は、遮断周波数が５５０ｋＨｚの２次のローパス・ベッセル・フィルターでフィルタリングされる。光ディスク内の中心から、半径２２．３ｍｍから２３．１ｍｍまでの間にＢＣＡの下記の信号特性が規定される。ＢＣＡからの再生信号は、図３（ａ）の波形が得られ、ＢＣＡコード、チャネルビットが“０”の時の最大と最小レベルを IBHmax と IBHmin で定義し、ＢＣＡコード、チャンネルビット“１”の最大のボトムレベルを IBLmax で定義する。また中間レベルを（IBHmin+IBLmax）/２ で定義する。
【００１７】
本実施例では各検出信号特性を（IBLmax/IBHmin）が０．８以下になる条件と、（IBHmax/IBHmin）が１．４以下になる条件とする。ＢＣＡコード、チャネルビットの周期信号を図３（ｂ）に示す。IBLとIBHの平均レベルを基準とし、ＢＣＡ信号がその基準位置をクロスする位置で、エッジ位置とみなす。ＢＣＡ信号の周期は、回転速度が２７６０ｒｐｍ（４６．０Ｈｚ）の時に規定される。図３（ｂ）に示すように先頭エッジ（立ち下がり位置）間の周期を ４．６３×ｎ±１．００μｓ 、光量が低下する場所でのパルス位置の幅（立ち下がり位置から次の立ち上がり位置までの間隔）を １．５６±０．７５μｓとする。
【００１８】
図４は本発明の情報記憶媒体の一例の光ディスク（再生専用光ディスク、追記型光ディスク、書換型光ディスク）におけるＢＣＡとＢＣＡパターンを示した図である。
【００１９】
次世代ＤＶＤ（例えば、ＨＤ  ＤＶＤ）のディスクには必ず内周部分にＢＣＡ２１が設けられている。このＢＣＡ２１の拡大図にバーコード状のＢＣＡパターン２２が示されている。このＢＣＡパターン２２は記録されていない未記録部であって、ＢＣＡを再生するとこの未記録部での再生信号の極性はＬ（Ｌｏｗ）レベルである。またこの未記録部以外の部分は記録された記録部であって、ＢＣＡを再生するとこの記録部での再生信号の極性はＨ（Ｈｉｇｈ）レベルである。本発明のＢＣＡ２１はＢＣＡパターン２２からなる未記録部（Ｌレベル）と、ＢＣＡパターン以外からなる記録部（Ｈレベル）とから形成されている。
【００２０】
さらに本発明では、ＢＣＡパターン２１を記録する際、ＢＣＡパターン２１からなる未記録部以外の部分はディスク一周に渡り、全て記録しておく。すなわち、このように全て記録（記録部とする）することは、ＢＣＡの再生はディスクを回した状態でディスク一周に渡って行うため、ＢＣＡパターンの誤読を回避することができる。またその効果に加えて、特に追記型のディスクにおいては、ＢＣＡパターン以外の部分を一度全てに渡って記録してしまえば、あとで違法なＢＣＡパターンの追記などができないことになり、不正コピー防止やディスク種別の詐称防止などの効果も期待できる。
【００２１】
本実施形態では、光ディスクは追記型のディスクとし直径１２０ｍｍで厚さが１．２ｍｍ（０．６ｍｍのポリカーボネート成形基板２枚の貼り合せ）であり、ＢＣＡは半径２２．３〜２３．１ｍｍのドーナツ状に形成されているとする。本実施例においてＢＣＡは図１に示すような内容を記録可能であり、ＢＣＡパターンは一般的に幅（接線方向）数十μｍ、長さ（径方向）数百μｍ程度のバーコード状のパターンである。
【００２２】
記録層としては、有機色素材料（例えばアゾ系、ジアゾ系、シアニン系、フタロシアニン系、スチリル系、もしくはこれらの混合物など）、無機相変化材料（例えばＧｅＳｂＴｅ系、ＡｇＩｎ系など）などが用いられ、成形基板がポリカーボネート、反射膜が銀（Ａｇ）、アルミ（Ａｌ）、金（Ａｕ）またはこれらをベースとする金属化合物、接着剤はアクリル系またはエポキシ系の紫外線硬化樹脂、が一般的である。この光ディスクの記録再生には、記録再生光として波長４０５ｎｍを採用し、ＮＡ０．６５の光学系を採用する。なお、本実施形態は、このスペックに限定されるものではない。
【００２３】
追記型光ディスクの作製方法の流れを図５に沿って以下に説明する。原盤としては表面を研磨洗浄したガラスを用いる（ＳＴ２１）。その原盤表面にフォトレジストを塗布し（ＳＴ２２）、その表面をレーザー光などで露光することで情報を記録する（ＳＴ２３）。次に露光した原盤を現像しピットやグルーブ溝の凹凸を形成する（ＳＴ２４）。その後、その原盤をメッキ処理することでスタンパ（材料は一般にニッケル）を作成する（ＳＴ２５）。そのスタンパを型として射出成形により樹脂（材料は一般にポリカーボネート）成形板を作成する（ＳＴ２６）。こうして作られた成形基板上にスパッタ法やスピンコート法などで記録層や反射層（再生専用型は反射層のみ）を形成する（ＳＴ２７）。そして、成形基板をもう１枚用意して接着層を介して貼り合せる（ＳＴ２８）。この貼り合せディスクに対して、ＢＣＡ記録装置によりＢＣＡ領域にディスク固有のバーコード状ＢＣＡパターンを記録する（ＳＴ２９）、ことで光ディスクの完成となる。
【００２４】
このＢＣＡ記録工程（ＳＴ２９）で用いるＢＣＡ記録装置は、数十μｍオーダーの大きなＢＣＡマークを記録するために市販の光ディスク記録装置と比べて高出力レーザを用いて大きなビームスポットで記録する構造になっている。
【００２５】
図６はこのＢＣＡ記録装置（管理情報記録装置）の概略構成について説明する。図６に示すように、ＢＣＡ記録装置は、コントローラ３１、レーザー出力制御部３２、フィード機構３３、光ヘッド３４、スピンドル駆動部３５、ランダム遅延回路３６、スピンドルモータ３７を備えている。
【００２６】
コントローラ３１は、ＢＣＡパターンに対応したＢＣＡ信号を発生したり、フィード機構制御信号を発生したり、また同期信号を発生したりする。ここでのコントローラ３１は、ＢＣＡ信号を発生させる際、図４のようにＢＣＡパターン以外の領域で発生させて記録するようレーザー出力制御部３２に送信する。すなわち、コントローラ３１はＢＣＡパターン２２の部分についてはレーザ光をオフさせ、ＢＣＡパターン２２以外のＢＣＡ２１にはレーザ光をオンさせる。レーザー出力制御部３２はＢＣＡ信号に基づき光ヘッド３４を構成するレーザー３４ａの駆動を制御する。つまり、レーザー３４ａは、ＢＣＡパターン２２以外の領域に対応したレーザービームを照射する。フィード機構３３は、フィード機構制御信号に基づき光ヘッド３４をディスクの半径方向に移動させる。また、光ヘッド３４を構成するアクチュエーター３４ｂが、レーザー３４ａから照射されるビームスポットの照射位置を微調整する。
【００２７】
スピンドル駆動部３５は、同期信号に基づきスピンドル駆動信号を発生する。ランダム遅延回路３６は、スピンドル駆動信号にランダムな遅延成分を加える。スピンドルモータ３７は、ランダムな遅延成分を含むスピンドル駆動信号に基づき回転し、このスピンドルモータ３７の回転により光ディスクも回転する。その結果、図４に示すＢＣＡ２１を、ディスク上に形成することができる。
【００２８】
このように、Ｌ−Ｈ型のディスクに対してＢＣＡを記録する際、ＢＣＡパターンを反転させて記録してＢＣＡ再生信号の極性を正しくする。またその際、ＢＣＡエリア内のＢＣＡパターンの無い部分については全域に渡って記録してしまい、反射率をＨレベルにしておく。このようにすることで、ＢＣＡパターンの誤読や他者によるＢＣＡの違法な追記による不正コピー・メディア種別の詐称などを防止することが出来る。
【００２９】
次に、図７〜図１０を参照して、光ディスクＯＤのＢＣＡに記録されたＢＣＡパターン（管理情報）の再生について説明する。図７は、光ディスクＯＤのＢＣＡに記録されたＢＣＡパターン（管理情報）を再生する光ディスク装置の概略構成を示す図である。図８は、ＢＣＡにおけるビームスポットの動きを説明するための図である。図９は、光ディスクＯＤのＢＣＡに記録されたＢＣＡパターン（管理情報）を再生する再生方法を説明するためのフローチャートである。図１０は、ＢＣＡから得られた再生信号をフィルター処理した後の再生信号を説明するための図である。
【００３０】
図７に示すように、光ディスク装置は、コントローラ５１、記録信号処理回路５２、レーザードライバー（ＬＤ）５３、光ピックアップヘッド（ＰＵＨ）５４、プリアンプ５５、サーボ回路５６、ＢＣＡ信号処理回路５７、ＲＦ信号処理回路５８、アドレス信号処理回路５９、スピンドルモータ９０、スピンドル駆動部９１を備えている。さらに、光ピックアップヘッド（ＰＵＨ）５４は、レーザー（レーザ光源）５４ａ、アクチュエーター（ＡＣＴ）５４ｂ、フォトディテクター（ＰＤ）５４ｃ、対物レンズ５４ｄを備えている。
【００３１】
ユーザエリアに情報記録する時には、コントローラ５１は記録信号を出力し、記録信号処理回路５２はこの記録信号を変調し、レーザードライバー（ＬＤ）５３は変調された記録信号に基づきレーザー５４ａを駆動する。つまり、レーザー５４ａは、記録信号に対応したレーザービームを照射する。これにより、レーザービームは対物レンズ５４ｄ（ＮＡ：０．８５〜０．４５）を介して光ディスクＯＤに照射され情報が記録される。
【００３２】
情報再生時には、レーザードライバー（ＬＤ）５３は再生信号に基づきレーザー５４ａを駆動する。これにより、レーザー５４ａは、再生用のレーザービームを照射する。このレーザービームの照射により、光ディスクＯＤから反射される反射光は、フォトディテクター５４ｃにより検出される。フォトディテクター５４ｃは、反射光成分を電気信号として出力する。なお、フォトディテクター５４ｃは、複数の光検出素子（例えば４つの光検出素子）により構成されている。各光検出素子により検出された信号成分を加算した信号を和信号、またある光検出素子により検出された信号成分から残りの光検出素子により検出された信号成分を減算した信号を差信号と呼ぶ。プリアンプ５５は、フォトディテクター５４ｃから出力される電気信号を増幅する。
【００３３】
サーボ回路５６は、コントローラ５１からのサーボ制御信号及びフォトディテクター５４ｃにより検出されプリアンプにより増幅された電気信号に基づきサーボ信号を生成する。アクチュエーター（ＡＣＴ）５４ｂは、サーボ信号に基づき、フォーカス、トラッキング、チルトを制御する。
【００３４】
ＢＣＡ信号処理回路５７は、フォトディテクター５４ｃにより検出されプリアンプにより増幅された電気信号（和信号）を処理してＢＣＡパターンを再生する。ＢＣＡ信号処理回路５７は、ローパスフィルター５７ａを備えており、ローパスフィルター５７ａにより高周波成分のノイズが除去される。ＲＦ信号処理回路５８は、フォトディテクター５４ｃにより検出されプリアンプにより増幅された電気信号（和信号）を処理してコンテンツ情報を再生する。アドレス信号処理回路５９は、フォトディテクター５４ｃにより検出されプリアンプにより増幅された電気信号（和信号）を処理して物理アドレス情報を再生する。
【００３５】
図８に示すように、ＢＣＡ再生時には、再生光のビームスポットのトラッキング制御はオフになる。従って、再生光のビームスポットは、ＢＣＡ内のＢＣＡパターン１０、１０ａを斜めに通過することがある。これに伴って、ＢＣＡから直接得られる再生信号には、ＢＣＡパターンの信号成分に加えて、パターンの隙間からの微小な信号がノイズとして含まれる。このノイズを除去するのが、図７に示すＢＣＡ信号処理回路５７のローパスフィルター５７ａである。
【００３６】
図９を参照して、ＢＣＡパターンの再生をまとめる。まず、光ディスクＯＤが装着され（ＳＴ３１）、スピンドルモータ３７が回転し（ＳＴ３２）、フォーカスがオンし（ＳＴ３３）、ビームスポットがＢＣＡへ移動する（ＳＴ３４）。これにより、ＢＣＡからの再生信号が得られ（ＳＴ３５）、ローパスフィルター処理（ＳＴ３６）を経て、図１０に示すような高周波成分のノイズが除去された再生信号が得られる（ＳＴ３７）。この高周波成分のノイズの除去により、正確にＢＣＡを再生することができる。
【００３７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００３８】
【図１】バーストカッティング領域ＢＣＡに記録されたＢＣＡ情報内容の例を示す図。
【図２】従来の一般的なＢＣＡとＢＣＡパターンを示した図。
【図３】バーストカッティング領域ＢＣＡからの再生信号説明図。
【図４】本発明の情報記憶媒体の一例の光ディスク（再生専用光ディスク、追記型光ディスク、書換型光ディスク）におけるＢＣＡとＢＣＡパターンを示した図。
【図５】追記型光ディスクの作製方法の流れを示す図。
【図６】ＢＣＡ記録装置（管理情報記録装置）の概略構成を示す図。
【図７】光ディスクＯＤのＢＣＡに記録されたＢＣＡパターン（管理情報）を再生する光ディスク装置の概略構成を示す図。
【図８】ＢＣＡにおけるビームスポットの動きを説明するための図。
【図９】光ディスクＯＤのＢＣＡに記録されたＢＣＡパターン（管理情報）を再生する再生方法を説明するためのフローチャート。
【図１０】ＢＣＡから得られた再生信号をフィルター処理した後の再生信号を説明するための図。
【符号の説明】
【００３９】
ＯＤ…光ディスク、ＳＴ…スタンパー、１１、２１…ＢＣＡ、１２、２２…ＢＣＡパターン、３１…コントローラ、３２…レーザー出力制御部、３３…フィード機構、３４…光ヘッド、３５…スピンドル駆動部、３６…ランダム遅延回路、３７…スピンドルモータ、５１…コントローラ、５２…記録信号処理回路、５３…レーザードライバー（ＬＤ）、５４…光ピックアップヘッド（ＰＵＨ）、５５…プリアンプ、５６…サーボ回路、５７…ＢＣＡ信号処理回路、５８…ＲＦ信号処理回路、５９…アドレス信号処理回路５４ａ…レーザー、５４ｂ…アクチュエーター（ＡＣＴ）、５４ｃ…フォトディテクター（ＰＤ）
【図１】
2007035177.tif 000003
【図２】
2007035177.tif 000004
【図３】
2007035177.tif 000005
【図４】
2007035177.tif 000006
【図５】
2007035177.tif 000007
【図６】
2007035177.tif 000008
【図７】
2007035177.tif 000009
【図８】
2007035177.tif 000010
【図９】
2007035177.tif 000011
【図１０】
2007035177.tif 000012